(57)【特許請求の範囲】
【請求項１】
垂直方向に延びた平板形状を有し上端部にフック構造が形成された支持部材と、互いに長さが等しい長尺平板形状を有する２本の上側梁部材と、互いに長さが等しい長尺平板形状を有する２本の下側梁部材からなり、該上側梁部材の長さは該下側梁部材の長さより大きく、
前記２本の上側梁部材はそれぞれの一端同士が重なって上側留め具で互いに回転可能に結合され、前記支持部材は垂直方向に延びる両端が閉じた溝を有し、該上側留め具が該溝の中をスライド可能に構成され、該溝の上端に該上側留め具が係止できる窪みが形成されており、
前記２本の下側梁部材はそれぞれの一端同士が重なって下側留め具で互いに回転可能に結合され、該下側留め具は前記上側留め具のスライド範囲より下側で前記支持部材に固定されており、
前記２本の上側梁部材の各他端と前記２本の下側梁部材の各他端とが、それぞれ個別に重なって外側留め具で互いに回転可能に結合されており、
前記上側留め具を上方にスライドさせて前記窪みに係合させたときに、前記２本の上側梁部材が開いてハンガーの肩部を形成し、前記上側留め具を下方にスライドさせたときに前記２本の上側梁部材が閉じて、前記梁部材全体が前記支持部材と細長い形に重なるように構成されたことを特徴とする折りたたみハンガー。
【請求項２】
前記ハンガーは、その構造の少なくとも一部にポリプロピレン、ポリカーボネート、ポリアミド、ポリ塩化ビニル、ＡＢＳ樹脂等のプラスチックや、アルミニウムが用いられる請求項１に記載された折りたたみハンガー。
【請求項３】
垂直方向に延びた平板形状を有し上端部にフック構造が形成された支持部材と、互いに長さが等しい長尺平板形状を有する２本の上側梁部材と、互いに長さが等しい長尺平板形状を有する２本の下側梁部材からなり、該上側梁部材の長さは該下側梁部材の長さより大きく、
前記２本の下側梁部材はそれぞれの一端同士が重なって下側留め具で互いに回転可能に結合され、前記支持部材は垂直方向に延びる両端が閉じた溝を有し、該下側留め具が該溝の中をスライド可能に構成され、該溝の下端に該下側留め具が係止できる窪みが形成されており、
前記２本の上側梁部材はそれぞれの一端同士が重なって上側留め具で互いに回転可能に結合され、該上側留め具は前記下側留め具のスライド範囲より上側で前記支持部材に固定されており、
前記２本の上側梁部材の各他端と前記２本の下側梁部材の各他端とが、それぞれ個別に重なって外側留め具で互いに回転可能に結合されており、
前記下側留め具を下方にスライドさせて前記窪みに係合させたときに、前記２本の上側梁部材が開いてハンガーの肩部を形成し、前記下側留め具を上方にスライドさせたときに前記２本の上側梁部材が閉じて、前記梁部材全体が前記支持部材と細長い形に重なるように構成されたことを特徴とする折りたたみハンガー。
【請求項４】
前記ハンガーは、その構造の少なくとも一部にポリプロピレン、ポリカーボネート、ポリアミド、ポリ塩化ビニル、ＡＢＳ樹脂等のプラスチックや、アルミニウムが用いられる請求項３に記載された折りたたみハンガー。
【発明の詳細な説明】
【技術分野】
【０００１】    本発明は、折りたたみ可能なハンガーに関する。
【背景技術】
【０００２】    従来、コンパクトに折りたたみ可能なハンガーとしては、ハンガーに洋服がかかる部分が折れることで小さくなるハンガーが知られている。しかしながら、この場合、折りたたむことによりハンガーがひし形のような形状となるので、折りたたんだ状態でもハンガー全体としてそれほど小型化されたものとはいえない。よって、例えば、旅行に行く際にキャリーケースに収納するときには、横に場所をとってしまう。【０００３】    特許文献１は、本出願と留め具の位置が同じ折りたたみ式ハンガーを開示する。しかしながら、本特許文献のハンガーは、ハンガー本体の服をかける部分が薄く、服をかける部分を支えるパーツが少ないため、重いコートなどをかけたとき耐久性に欠け、折れてしまう場合があるという欠点を有する。
【先行技術文献】
【特許文献】
【０００４】
【特許文献１】特開２０１１−２３５０４２号公報
【発明の概要】
【発明が解決しようとする課題】
【０００５】    上記の通り、従来の折りたたみハンガーは、折りたたんだ後でも大きくなってしまう欠点を有するとともに、運ぶときには場所をとってしまう。また、コンパクトにするために服を掛ける部分を薄くすると、ハンガー画幅の重さに耐えられなくなってしまう。
【課題を解決するための手段】
【０００６】      そこで、以下の発明を提供する。本発明は、図３、７に示されるように、５つの平板形状のパーツを互いに重なり合うように折りたたむことで、折りたたんだ時に細長い形になり、横方法に場所をとらないコンパクトな折りたたみハンガーを提供する。【０００７】    さらに本発明は、ハンガーを開いたときにパーツ５、８に形成された溝９，１０の下部端部の窪みに留め具を掛けることでハンガーが固定して使用できるハンガーを提供する。【０００８】    本発明のハンガーを折りたたんだときに細長い形になることで、横に場所をとらないコンパクトなハンガーになる。そして、ハンガーを開いたときに前記窪みに留め具を掛けることでハンガーが固定され、耐久性を増大できる。
【発明の効果】
【０００９】    本発明により、折りたたみハンガーがよりコンパクトになり、キャリーケースに入れても、荷物の邪魔にならない効果を有する。
【図面の簡単な説明】
【００１０】
【図１】  ハンガーを開いた時の一の態様の正面図を示す。
【図２】  ハンガーを折りたたんだ時の一の態様の正面図を示す。
【図３】  ハンガーを折りたたんだ時の一の態様の側面図を示す。
【図４】  ハンガーを開いた時の他の態様の正面図を示す。
【図５】  ハンガーを折りたたんだ時の他の態様の正面図を示す。
【図６】  ハンガーを折りたたんだ時の他の態様の溝１０の拡大図を示す。
【図７】  ハンガーを折りたたんだ時の他の態様の側面図を示す。
【発明を実施するための形態】
【実施例１】
【００１１】  図１は、本発明に係る折りたたみハンガーを開いた時の正面図を示す。図２に示される閉じた状態のハンガーを留め具２（上側留め具）を上にスライドすることで、図１に示されるようにハンガー（パーツ１、パーツ２、これを「上側梁部材」という、なおパーツ３、パーツ４を「下側梁部材」という）が開く構造を有し、留め具２をパーツ５（上端部にフック構造が形成された支持部材）に形成された溝９の上部端部に形成された窪みに掛けることにより固定される。【００１２】  本発明のハンガーは、その構造の少なくとも一部にポリプロピレン、ポリカーボネート、ポリアミド、ポリ塩化ビニル、ＡＢＳ樹脂等のプラスチックや、アルミニウム用の軽金属を用いて重さに耐えるハンガーを製造可能となりうる。
【実施例２】
【００１３】  本態様は、図５に示される閉じた状態のハンガーを留め具３（下側留め具）を下にスライドすることで、図４に示されるようにハンガー（パーツ１、パーツ２、これを「上側梁部材」という、なおパーツ３、パーツ４を「下側梁部材」という）を開く構造を有し、留め具３をパーツ８（上端部にフック構造が形成された支持部材）に形成された溝１０の下部端部に形成された窪みに掛けることにより固定される。【００１４】    上記以外、実施例１と同様な構成、素材により製造される。
【符号の説明】
【００１５】  １  留め具１
２  留め具２
３  留め具３
４  パーツ４
５  パーツ５
６  パーツ６
７  パーツ７
８  パーツ８
９  溝９
１０  溝１０
【図１】
0006975934.tif 000002
【図２】
0006975934.tif 000003
【図３】
0006975934.tif 000004
【図４】
0006975934.tif 000005
【図５】
0006975934.tif 000006
【図６】
0006975934.tif 000007
【図７】
0006975934.tif 000008